(57)【要約】      （修正有）【課題】主に、スライドプレートとポジションインジケータとを別々の高さで動かすことなどができるようにする。【解決手段】シフトレバーの通路となる通路用開口部３を有するハウジング４と、通路用開口部３を覆うと共に、シフトレバーの移動に伴い通路用開口部３に沿ってスライド可能なスライドプレート５と、を備え、ハウジング４が、通路用開口部３の側部にシフト位置表示用案内部６を有し、シフト位置表示用案内部６に、スライドプレート５と共に移動可能なポジションインジケータ７を設置したシフト操作装置に関する。スライドプレート５に、シフト位置表示用案内部６へ向けて延びる係止片２１を一体に設ける。係止片２１に係留穴２２を設ける。ポジションインジケータ７に、シフト位置表示用案内部６に沿って移動しつつ係留穴２２に対して挿脱動可能な棒状ガイド部２３を設ける。【選択図】図１０
2019001188.tif 000002
【特許請求の範囲】
【請求項１】
シフトレバーの通路となる通路用開口部を有するハウジングと、
前記シフトレバーが貫通した状態で前記通路用開口部を覆うと共に、前記シフトレバーの移動に伴い前記通路用開口部に沿ってスライド可能なスライドプレートと、を備え、
前記ハウジングが、前記通路用開口部の側部にシフト位置表示用案内部を有し、
該シフト位置表示用案内部に、前記スライドプレートと共に移動可能なポジションインジケータを設置したシフト操作装置であって、
前記スライドプレートに、前記シフト位置表示用案内部へ向けて延びる係止片を一体に設け、該係止片に係留穴を設けると共に、
前記ポジションインジケータに、前記シフト位置表示用案内部に沿って移動しつつ前記係留穴に対して挿脱動可能な棒状ガイド部を設けたことを特徴とするシフト操作装置。
【請求項２】
請求項１に記載のシフト操作装置であって、
前記通路用開口部と前記シフト位置表示用案内部とを、互いに異なる非平行な二つの面に沿って形成したことを特徴とするシフト操作装置。
【請求項３】
請求項２に記載のシフト操作装置であって、
前記通路用開口部を形成した第一の面と、前記シフト位置表示用案内部を形成した第二の面との間に、第二の面が第一の面よりも高くなる段差部を設け、
該段差部に、前記係止片を通す通孔を設けると共に、
前記係止片の前記係留穴周辺における、少なくとも、前記段差部側の部分に、前記通孔の上側の縁部と同じかそれよりも高い水浸入防止用リブを設けたことを特徴とするシフト操作装置。
【請求項４】
請求項３に記載のシフト操作装置であって、
前記係止片の前記係留穴と、前記ポジションインジケータとの間の、少なくとも前記段差部側の部分に、排水用クリアランス部を設けたことを特徴とするシフト操作装置。
【請求項５】
請求項１ないし請求項４のいずれか１項に記載のシフト操作装置であって、
前記ハウジングが、前記通路用開口部の端部に前記スライドプレートの移動範囲を規制可能なストッパ部を有すると共に、
前記シフト位置表示用案内部における、前記ポジションインジケータの移動範囲外となる位置に、前記ポジションインジケータを装着可能なインジケータ着脱部を有することを特徴とするシフト操作装置。
【発明の詳細な説明】
【技術分野】
【０００１】
この発明は、シフト操作装置に関するものである。
【背景技術】
【０００２】
自動車などの車両は、車室内の運転席と助手席との間の位置にセンターコンソールを備えている。このセンターコンソールの前部などにシフトレバーを設置したものが存在している（例えば、特許文献１参照）。
【０００３】
そして、シフトレバーは、センターコンソールに対し、シフト操作装置を介して取付けている。シフト操作装置は、シフトレバーの通路となる通路用開口部を有するハウジングと、シフトレバーが貫通した状態で通路用開口部を覆うスライドプレートと、を備えたものとなっている。スライドプレートは、シフトレバーの移動に伴い通路用開口部に沿ってスライド可能となっている。
【０００４】
ハウジングは、通路用開口部の側部にシフト位置表示用案内部を有している。このシフト位置表示用案内部に、スライドプレートと共に移動可能なポジションインジケータを設置している。
【先行技術文献】
【特許文献】
【０００５】
【特許文献１】特開２００１−２２４６１号公報
【発明の概要】
【発明が解決しようとする課題】
【０００６】
しかしながら、上記特許文献１に記載されたシフト操作装置では、スライドプレートとポジションインジケータとは、一定の高さを保って動くことしかできないようになっていた。
【０００７】
そこで、本発明は、主に、上記した問題点を解決することを目的としている。
【課題を解決するための手段】
【０００８】
上記課題を解決するために、本発明は、
シフトレバーの通路となる通路用開口部を有するハウジングと、
前記シフトレバーが貫通した状態で前記通路用開口部を覆うと共に、前記シフトレバーの移動に伴い前記通路用開口部に沿ってスライド可能なスライドプレートと、を備え、
前記ハウジングが、前記通路用開口部の側部にシフト位置表示用案内部を有し、
該シフト位置表示用案内部に、前記スライドプレートと共に移動可能なポジションインジケータを設置したシフト操作装置であって、
前記スライドプレートに、前記シフト位置表示用案内部へ向けて延びる係止片を一体に設け、該係止片に係留穴を設けると共に、
前記ポジションインジケータに、前記シフト位置表示用案内部に沿って移動しつつ前記係留穴に対して挿脱動可能な棒状ガイド部を設けたことを特徴とする。
これにより、スライドプレートに対するポジションインジケータの高さが可変になる。
【発明の効果】
【０００９】
本発明によれば、上記構成によって、スライドプレートとポジションインジケータとを別々の高さで動かすことなどができるようになる。
【図面の簡単な説明】
【００１０】
【図１】本実施の形態のシフト操作装置（の表面に位置するフィニッシャープレート）を示す平面図である。
【図２】図１シフト操作装置の縦断面図である。
【図３】図２のハウジングの縦断面図である。
【図４】図３のハウジングの斜視図である。
【図５】図４のハウジングのシフト位置表示用案内部に表示板を取付けた状態を示す斜視図である。
【図６】図２のスライドプレートの全体斜視図である。
【図７】図６の部分拡大図である。
【図８】スライドプレートにポジションインジケータを装着した状態を示す幅方向の断面図である。
【図９】図２の位置Ａにおける幅方向の断面図である。
【図１０】図２の位置Ｂにおける幅方向の断面図である。
【図１１】図２の位置Ｃにおける幅方向の断面図である。
【発明を実施するための形態】
【００１１】
以下、本実施の形態を、図面を用いて詳細に説明する。
図１〜図１１は、この実施の形態を説明するためのものである。図中の方向は、車両前後方向Ｘ、車幅方向Ｙ、上下方向Ｚとなっている。
【実施例１】
【００１２】
＜構成＞以下、この実施例の構成について説明する。
【００１３】
自動車などの車両は、車室内の運転席と助手席との間の位置にセンターコンソールを備えている。このセンターコンソールの前部などに、図１、図２に示すように、シフトレバー１を設置する。
【００１４】
そして、シフトレバー１を、センターコンソールに対し、シフト操作装置２を介して取付ける。シフト操作装置２は、図３〜図５（主に、図４参照）に示すように、シフトレバー１の通路となる通路用開口部３を有するハウジング４と、図６、図７に示すように、シフトレバー１が貫通した状態で通路用開口部３を覆うスライドプレート５と、を備えている。スライドプレート５は、シフトレバー１の移動に伴い通路用開口部３に沿ってスライド可能となっている。
【００１５】
そして、図４（図５）に示すように、ハウジング４は、通路用開口部３の側部にシフト位置表示用案内部６を有している。このシフト位置表示用案内部６に、図８（〜図１１）に示すように、スライドプレート５と共に移動可能なポジションインジケータ７を設置している。
【００１６】
ここで、シフトレバー１は、金属製の棒状部材を有しており（図２参照）、シフト操作装置２の意匠面を構成するフィニッシャープレート１１（図１参照）から車室内側へ向けて突出している。フィニッシャープレート１１は、通路用開口部３の周囲を取り囲む開口部１１ａと、シフト位置表示用案内部６の周囲を取り囲む開口部１１ｂとを有している。
【００１７】
通路用開口部３は、この場合、平面視で、ほぼ車両前後方向Ｘへ延びる直線状の長孔となっている（図４参照）。
【００１８】
ハウジング４は、フィニッシャープレート１１の下部に位置している（図２参照）。ハウジング４は、通路用開口部３の周囲にスライドプレート５を案内するプレートガイド部１２を有している（図４参照）。プレートガイド部１２には、スライドプレート５の両側面を案内するサイドガイド部１２ａや、スライドプレート５（に取付けたカバーシート１３）の前後の位置を上側から案内する前後ガイド部１２ｂなどがある。なお、スライドプレート５（やカバーシート１３）は、フィニッシャープレート１１の下面によっても案内される。
【００１９】
スライドプレート５は、シフトレバー１を通す孔部５ａを有している（図６、図７参照）。スライドプレート５は、移動しても通路用開口部３全体を覆い続けることができるように所要の長さで車両前後方向Ｘへ延びる短冊状をした柔軟なカバーシート１３を上面に一体に備えている。カバーシート１３は、スライドプレート５の孔部５ａと合致する位置にシフトレバー１を通す孔部１３ａを有している。孔部１３ａは、孔部５ａと同じかそれよりも大きくなっている。
【００２０】
シフト位置表示用案内部６は、平面視で、ハウジング４の通路用開口部３の側部に通路用開口部３と平行に設けた長孔状のインジケータガイド部となっている（図４参照）。シフト位置表示用案内部６は、通路用開口部３よりも、スライドプレート５とポジションインジケータ７の車両前後方向Ｘの長さの差の分程度短くなっている。シフト位置表示用案内部６は通路用開口部３とは反対側の側部に、照明用の光源を設置するためのランプハウジング１５を備えている。
【００２１】
ポジションインジケータ７は、シフト位置表示用案内部６の上面に沿って移動する指標部７ａを有している（図８、図９参照）。指標部７ａは、シフト位置表示用案内部６の長孔に上方から係止可能なフランジ状となっており、上面が赤系などの目立ち易い色彩で着色した着色部となっている。また、ポジションインジケータ７は、シフト位置表示用案内部６の長孔の下面に下方から係止可能なガイドフランジ７ｂを指標部７ａと一体に有している。ガイドフランジ７ｂと指標部７ａとの間は、シフト位置表示用案内部６を通る軸部となっている。この軸部は、車両前後方向Ｘへ延びる長円形の断面を有している。
【００２２】
シフト位置表示用案内部６とランプハウジング１５の上部には、シフトポジジョンの表示を形成した表示板１６（または表示レンズ）を設置している（図５参照）。表示板１６は、ランプハウジング１５に設けた光源からの光によって照明可能な透明部材となっている。
【００２３】
以上のような基本的な構成に対し、この実施例では、以下のような構成を備えるようにしている。
【００２４】
（１）図６（図７）に示すように、スライドプレート５に、シフト位置表示用案内部６へ向けて延びる係止片２１を一体に設ける。この係止片２１に係留穴２２を設ける。
図８（〜図１１）に示すように、ポジションインジケータ７に、シフト位置表示用案内部６に沿って移動しつつ係留穴２２に対して挿脱動可能な棒状ガイド部２３を設ける。
【００２５】
ここで、係止片２１は、カバーシート１３の側部から突設した舌片となっている。但し、係止片２１は、スライドプレート５の側部から直接突設しても良い。
【００２６】
係留穴２２は、係止片２１の車両前後方向Ｘおよび車幅方向Ｙのほぼ中央部の、シフト位置表示用案内部６の下方となる位置に設けている。この場合、係留穴２２は、シフト位置表示用案内部６の延設方向へ延びる長孔となっている。
【００２７】
棒状ガイド部２３は、ポジションインジケータ７における下側のガイドフランジ７ｂの下面から下方へ延びている。棒状ガイド部２３は、長孔となっている係留穴２２に合わせてシフト位置表示用案内部６の延設方向を長軸とする長円形などの断面形状を有している。これにより、ポジションインジケータ７は、シフト位置表示用案内部６に沿って回転したり傾いたりすることなくスムーズに動くことが可能になる。
【００２８】
（２）図３（図４）に示すように、通路用開口部３とシフト位置表示用案内部６とを、互いに異なる非平行な二つの面３１，３２に沿って形成しても良い。
【００２９】
ここで、通路用開口部３の面３１は、スライドプレート５が移動する面（以下、第一の面３１という）である。この場合、第一の面３１は、側方から見てほぼ上に凸の円弧状をしている。
【００３０】
また、シフト位置表示用案内部６の面３２は、ポジションインジケータ７の上端部（指標部７ａ）が通る面（以下、第二の面３２という）であり、この場合、第二の面３２は、側方から見てほぼ前上がりの直線状をしている。但し、第一の面３１および第二の面３２の形状は、上記に限るものではない。
【００３１】
（３）図４に示すように、通路用開口部３を形成した第一の面３１と、シフト位置表示用案内部６を形成した第二の面３２との間に、第二の面３２が第一の面３１よりも高くなる段差部４１を設けても良い。
段差部４１に、係止片２１を通す通孔４２を設けても良い。
そして、係止片２１の係留穴２２周辺における、少なくとも、段差部４１側の部分に、図１０に示すように、通孔４２の上側の縁部４２ａと同じかそれよりも高い水浸入防止用リブ４３を設けても良い。
【００３２】
ここで、段差部４１は、第一の面３１と第二の面３２との間をつなぐ立壁となっている。第一の面３１と第二の面３２の形状の違いにより、段差部４１は、各部の高さが異なるものになっている。
【００３３】
通孔４２は、段差部４１の下側における、係止片２１が通る位置に設ける。通孔４２は、係止片２１の移動範囲と同じかそれよりも若干長い長孔にする。通孔４２の上側の縁部４２ａは、段差部４１の下向きの端面のことである。
【００３４】
係留穴２２周辺は、係留穴２２の縁部またはその外側を囲む部分のことである。
【００３５】
水浸入防止用リブ４３は、係留穴２２の全周に対して設けても良い。この場合には、水浸入防止用リブ４３は、係止片２１の先端側の辺を除く三辺に沿って平面視ほぼＣ字状またはＵ字状に設けている。
【００３６】
（４）図８に示すように、係止片２１の係留穴２２と、ポジションインジケータ７との間の、少なくとも段差部４１側の部分に、排水用クリアランス部５１を設けても良い。
【００３７】
ここで、排水用クリアランス部５１は、水滴の直径よりも大きくするのが好ましい。
【００３８】
（５）図４に示すように、ハウジング４が、通路用開口部３の端部にスライドプレート５の移動範囲を規制可能なストッパ部６１を有しても良い。
そして、シフト位置表示用案内部６における、ポジションインジケータ７の移動範囲外となる位置に、ポジションインジケータ７を装着可能なインジケータ着脱部６２を設けるようにしても良い。
【００３９】
ここで、ストッパ部６１は、ハウジング４における、通路用開口部３の前後端部の周辺に設けた前後のストッパリブ６１ａ，６１ｂとすることができる。ストッパリブ６１ａ，６１ｂは通路用開口部３の幅中心位置などに設けることができる。
【００４０】
インジケータ着脱部６２は、シフト位置表示用案内部６の端部を前側または後側に延長した部分に、シフト位置表示用案内部６とつながるように設けることができる。インジケータ着脱部６２は、ポジションインジケータ７の上端部に設けたフランジ状の指標部７ａは通らないが、その下側のガイドフランジ７ｂは通る大きさの孔部とする。ポジションインジケータ７は、スライドプレート５をストッパ部６１に乗り上げた状態にした時にのみ嵌めることができるようにする。
【００４１】
＜作用＞以下、この実施例の作用について説明する。
【００４２】
シフトレバー１を前後に操作すると、スライドプレート５が通路用開口部３に沿って前後に移動する。この時、スライドプレート５（と一体のカバーシート１３）から突設した係止片２１の係留穴２２に収容したポジションインジケータ７が、シフト位置表示用案内部６に沿って前後に移動する。これにより、表示板１６を通してシフトポジジョンを示すことができる。
【００４３】
＜効果＞この実施例によれば、以下のような効果を得ることができる。
【００４４】
（効果１）スライドプレート５の係止片２１に係留穴２２を設けて、ポジションインジケータ７の棒状ガイド部２３を係留穴２２へ挿脱可能に収容した。これにより、シフトレバー１を移動した時に、ポジションインジケータ７は、シフトレバー１の移動方向についてはスライドプレート５と一緒に移動すると共に、係留穴２２に対してはスライドプレート５とは別に挿脱動することで高さが可変となる。そのため、スライドプレート５とポジションインジケータ７とを別々の高さで動かすことができるようになる。よって、シフト操作装置２に対するデザイン的な制約をなくすことができる。
【００４５】
（効果２）通路用開口部３とシフト位置表示用案内部６とを互いに異なる非平行な面３１，３２に沿って形成しても良い。これにより、デザイン的な制約のないシフト操作装置２を作ることができる。
【００４６】
（効果３）通路用開口部３を形成した第一の面３１と、シフト位置表示用案内部６を形成した第二の面３２との段差部４１に通孔４２を設けても良い。これにより、通孔４２を通して係止片２１をシフト位置表示用案内部６の下側へ導くことができる。
【００４７】
係留穴２２周辺における、少なくとも、段差部４１側の部分に、通孔４２の上側の縁部４２ａと同じかそれよりも高い水浸入防止用リブ４３を設けても良い。これにより、段差部４１と水浸入防止用リブ４３との間にラビリンスシールが形成されるので、このラビリンスシールによって、車室内でジュースなどの飲み物をこぼした時などに、飲み物の水滴が係留穴２２へ浸入するのを防止することができる。よって、係留穴２２とポジションインジケータ７との間に水滴が入ってこびり付くといった不具合を防止できる。
【００４８】
（効果４）係留穴２２とポジションインジケータ７との間の、少なくとも段差部４１側の部分に、排水用クリアランス部５１を設けても良い。これにより、水浸入防止用リブ４３を越えて係留穴２２とポジションインジケータ７との間に入った水滴などを、排水用クリアランス部５１を通して下へ排水することができる。
【００４９】
（効果５）ハウジング４が、通路用開口部３の端部にストッパ部６１を有しても良い。これにより、スライドプレート５の移動範囲をストッパ部６１で規制することができる。
【００５０】
シフト位置表示用案内部６の、移動範囲よりも外側となる位置にインジケータ着脱部６２を有しても良い。これにより、スライドプレート５の移動範囲内ではポジションインジケータ７をシフト位置表示用案内部６に対して着脱できなくすることができる。よって、シフト位置表示用案内部６でのポジションインジケータ７の移動を安定化することができる。また、ポジションインジケータ７がシフト位置表示用案内部６から不用意に外れないようにすることができる。
【符号の説明】
【００５１】
１      シフトレバー
２      シフト操作装置
３      通路用開口部
４      ハウジング
５      スライドプレート
６      シフト位置表示用案内部
７      ポジションインジケータ
２１    係止片
２２    係留穴
２３    棒状ガイド部
３１    非平行な面
３２    非平行な面
４１    段差部
４２    通孔
４２ａ  縁部
４３    水浸入防止用リブ
５１    排水用クリアランス部
６１    ストッパ部
６２    インジケータ着脱部
【図１】
2019001188.tif 000003
【図２】
2019001188.tif 000004
【図３】
2019001188.tif 000005
【図４】
2019001188.tif 000006
【図５】
2019001188.tif 000007
【図６】
2019001188.tif 000008
【図７】
2019001188.tif 000009
【図８】
2019001188.tif 000010
【図９】
2019001188.tif 000011
【図１０】
2019001188.tif 000012
【図１１】
2019001188.tif 000013